(57)【要約】【課題】  撮像装置が起動しているか否かを撮像装置から離れた位置にいるユーザに知らせることができ、表示パネル（例：有機ＥＬ表示パネル）の劣化を抑えることができるようにする。【解決手段】  撮像装置（１００）は、表示パネルを有するファインダ手段と、ユーザが前記ファインダ手段を覗いているか否かを判定する判定手段と、前記表示パネルに表示される画像データのダイナミックレンジを変更する変更手段と、ユーザが前記ファインダ手段を覗いていないと判定された場合は、前記表示パネルに表示される画像データの輝度設定を第１の輝度設定から前記第１の輝度設定とは異なる第２の輝度設定に変更するための制御と、前記表示パネルに表示される画像データのダイナミックレンジに応じて前記表示パネルに表示される画像データのダイナミックレンジをより狭いダイナミックレンジに圧縮するための制御とを行う制御手段とを有する。【選択図】  図１
2018037862.tif 000002
【特許請求の範囲】
【請求項１】
表示パネルを有するファインダ手段と、
ユーザが前記ファインダ手段を覗いているか否かを判定する判定手段と、
前記表示パネルに表示される画像データのダイナミックレンジを変更する変更手段と、
ユーザが前記ファインダ手段を覗いていないと判定された場合は、前記表示パネルに表示される画像データの輝度設定を第１の輝度設定から前記第１の輝度設定とは異なる第２の輝度設定に変更するための制御と、前記表示パネルに表示される画像データのダイナミックレンジに応じて前記表示パネルに表示される画像データのダイナミックレンジをより狭いダイナミックレンジに圧縮するための制御とを行う制御手段と
を有することを特徴とする撮像装置。
【請求項２】
ユーザが前記ファインダ手段を覗いていると判定された場合は、前記表示パネルに表示される画像データの輝度設定を前記第１の輝度設定に変更するための制御を行うことを特徴とする請求項１に記載の撮像装置。
【請求項３】
ユーザが前記ファインダ手段を覗いていると判定された場合は、前記表示パネルに表示される画像データのダイナミックレンジをユーザが選択しているダイナミックレンジに変更するための制御を行うことを特徴とする請求項１または２に記載の撮像装置。
【請求項４】
前記表示パネルが前記第２の輝度設定である場合のピーク輝度は、前記表示パネルが前記第１の輝度設定である場合のピーク輝度よりも低いことを特徴とする請求項１から３のいずれか１項に記載の撮像装置。
【発明の詳細な説明】
【技術分野】
【０００１】
本発明は、近接センサと電子ビューファインダ（ＥＶＦ）とを有する撮像装置等に関する。
【背景技術】
【０００２】
近年、ハイダイナミックレンジ（Ｈｉｇｈ  Ｄｙｎａｍｉｃ  Ｒａｎｇｅ）の撮像画像データを生成することができる撮像装置が増えてきている。ハイダイナミックレンジの撮像画像データを表示するためには、ピーク輝度（最大輝度）が高い表示パネルが必要となる。
【０００３】
一方、撮像装置には、電子ビューファインダ（以下、ＥＶＦと呼ぶ）を有するものがある。今後は、ＥＶＦの表示パネルとして有機ＥＬ（ｅｌｅｃｔｒｏｌｕｍｉｎｅｓｃｅｎｃｅ）表示パネルが使用されることが想定される。
【０００４】
有機ＥＬ表示パネルは、使用時間の経過に従って輝度が劣化することが知られている。輝度の劣化は、ピーク輝度（最大輝度）が高いほど大きいことが知られている。そのため、ユーザがＥＶＦを使用していない場合は、有機ＥＬ表示パネルを消灯させるように撮像装置を制御することが望ましい。特許文献１では、ＥＶＦを使用していなければ、ＥＶＦを消灯させる制御が記載されている。
【先行技術文献】
【特許文献】
【０００５】
【特許文献１】特開２０１２−１５９８４６号公報
【発明の概要】
【発明が解決しようとする課題】
【０００６】
しかしながら、ＥＶＦの表示パネルのみで撮像画像を表示する撮像装置でＥＶＦを消灯させてしまうと、撮像装置から離れた位置にいるユーザに撮像装置が起動しているか否かを知らせることが難しいという課題がある。
【０００７】
また、ハイダイナミックレンジの撮像画像データをその撮像画像データのダイナミックレンジよりも狭いダイナミックレンジの表示パネルに表示すると、暗い撮像画像が表示されてしまう。この場合、表示パネルに表示されている撮像画像が暗いため、撮像装置から離れた位置にいるユーザが撮像装置が起動していないと勘違いしてしまう恐れがある。
【０００８】
そこで、本発明は、撮像装置が起動しているか否かを撮像装置から離れた位置にいるユーザに知らせることができ、表示パネル（例：有機ＥＬ表示パネル）の劣化を抑えることができるようにすることを目的とする。
【課題を解決するための手段】
【０００９】
上記目的を達成するために、本発明に係る撮像装置は、表示パネルを有するファインダ手段と、ユーザが前記ファインダ手段を覗いているか否かを判定する判定手段と、前記表示パネルに表示される画像データのダイナミックレンジを変更する変更手段と、ユーザが前記ファインダ手段を覗いていないと判定された場合は、前記表示パネルに表示される画像データの輝度設定を第１の輝度設定から前記第１の輝度設定とは異なる第２の輝度設定に変更するための制御と、前記表示パネルに表示される画像データのダイナミックレンジに応じて前記表示パネルに表示される画像データのダイナミックレンジをより狭いダイナミックレンジに圧縮するための制御とを行う制御手段とを有することを特徴とする。
【発明の効果】
【００１０】
本発明によれば、撮像装置が起動しているか否かを撮像装置から離れた位置にいるユーザに知らせることができ、表示パネル（例：有機ＥＬ表示パネル）の劣化を抑えることができる。
【図面の簡単な説明】
【００１１】
【図１】実施形態１における撮像装置１００の構成の一例を説明するためのブロック図である。
【図２】ＥＶＦ１１１と近接センサ１１２との位置関係の一例を説明するための図である。
【図３】撮像装置１００で行われる制御方法を説明するためのフローチャートである。
【発明を実施するための形態】
【００１２】
以下、図面を参照して本発明の実施形態を説明する。ただし、本発明は以下の実施形態に限定されるものではない。
【００１３】
［実施形態１］
図１は、実施形態１における撮像装置１００の構成の一例を説明するためのブロック図である。
【００１４】
実施形態１における撮像装置１００は、ビデオカメラとして動作することができる電子機器である。撮像装置１００は、少なくとも、撮像部１０１、デジタル信号処理部１０２、ＵＩ部１０３、タイマ部１０４、電源スイッチ１０５、ダイナミックレンジ変換部１０６、ＥＶＦ制御部１０７、システム制御部１０８、メモリ部１０９及び表示部１１０を有する。表示部１１０は、ＥＶＦ（電子ビューファインダ）１１１及び近接センサ１１２を有する。ＥＶＦ１１１は、表示パネル１１１Ａを有する。撮像装置１００で生成される撮像画像データのダイナミックレンジの最大値は、例えば、１６００％である。
【００１５】
撮像部１０１は、光学像を電気信号に変換する撮像素子と、撮像素子で生成された電気信号をデジタルデータに変換するＡ／Ｄ変換部とを有する。撮像素子は、ＣＣＤまたはＣＭＯＳで構成することができる。
【００１６】
デジタル信号処理部１０２は、所定の信号処理（画素補間処理、リサイズ処理、色変換処理など）を行うことにより、撮像部１０１から受信したデジタルデータからハイダイナミックレンジの撮像画像データ（動画データ）を生成する。デジタル信号処理部１０２で生成された撮像画像データは、ダイナミックレンジ変換部１０６に送信される。第１の実施形態及び他の実施形態では、デジタル信号処理部１０２で生成される撮像画像データのダイナミックレンジの最大値が１６００％である場合を説明するが、その撮像画像データのダイナミックレンジの最大値は１６００％に限るものではない。
【００１７】
ダイナミックレンジ変換部１０６は、システム制御部１０８が指示するダイナミックレンジ（例：１００％〜１６００％の何れか）により、ダイナミックレンジ圧縮を行うか否かを判定する。システム制御部１０８が指示するダイナミックレンジが最大値（１６００％）である場合、ダイナミックレンジ変換部１０６は、受信した撮像画像データのダイナミックレンジを圧縮（変換）せずに、その撮像画像データをＥＶＦ制御部１０７に送信する。システム制御部１０８が指示するダイナミックレンジが最大値（１６００％）でない場合、ダイナミックレンジ変換部１０６は、受信した撮像画像データのダイナミックレンジをシステム制御部１０８が指示するダイナミックレンジに圧縮（変換）する。変換後の撮像画像データは、ダイナミックレンジ変換部１０６からＥＶＦ制御部１０７に送信される。
【００１８】
ＥＶＦ制御部１０７は、ダイナミックレンジ変換部１０６から受信した撮像画像データを表示パネル１１１Ａに表示させる。ＥＶＦ制御部１０７は、システム制御部１０８からの指示に応じて、表示パネル１１１Ａを点灯または消灯させる。表示パネル１１１Ａが点灯状態である場合、ＥＶＦ制御部１０７は、システム制御部１０８からの指示に応じて、表示パネル１１１Ａの輝度設定を通常輝度設定（第１の輝度設定）または低輝度設定（第２の輝度設定）に変更する。表示パネル１１１Ａが低輝度設定である場合のピーク輝度（最大輝度）は、表示パネル１１１Ａが通常輝度設定である場合のピーク輝度（最大輝度）よりも低い。例えば、表示パネル１１１Ａが低輝度設定である場合のピーク輝度（最大輝度）は、表示パネル１１１Ａが通常輝度設定である場合のピーク輝度（最大輝度）の２分の１である。そのため、表示パネル１１１Ａの輝度設定が低輝度設定である場合に表示パネル１１１Ａに表示される画像は、表示パネル１１１Ａの輝度設定が通常輝度設定である場合に表示パネル１１１Ａに表示される画像よりも暗くなる。ただし、表示パネル１１１Ａの輝度設定が低輝度設定である場合、撮像装置１００は、表示パネル１１１Ａの劣化を抑えることができ、表示部１１０及び撮像装置１００の消費電力を抑えることもできる。
【００１９】
表示部１１０は、ＥＶＦ１１１と近接センサ１１２とを有する。表示部１１０は、ユーザが撮像装置１００から取り外せるように構成してもよいし、ユーザが撮像装置１００から取り外すことができないように構成してもよい。
【００２０】
ＥＶＦ１１１は、ＥＶＦ制御部１０７から受信した撮像画像データを表示する表示パネル１１１Ａを有する。表示パネル１１１Ａは、有機ＥＬ（ｅｌｅｃｔｒｏｌｕｍｉｎｅｓｃｅｎｃｅ）表示パネルまたは液晶表示パネルである。表示パネル１１１Ａは、ピーク輝度が高く、コントラストが高い表示パネルであり、表示パネル１１１Ａの輝度設定が通常輝度設定である場合は、ダイナミックレンジ１６００％の撮像画像データを表示することができる。実施形態１及び他の実施形態では、表示パネル１１１Ａが有機ＥＬ表示パネルである場合を説明する。
【００２１】
近接センサ１１２は、近接センサ１１２の近くに位置するユーザまたは物体を検知するように構成されたセンサである。近接センサ１１２は、発光レンズ窓、発光素子、受光レンズ窓及び受光素子を有する。発光素子は、発光レンズ窓を介して所定の光量の赤外光を照射する。発光レンズ窓を介して照射された赤外光は、近接センサ１１２の近くに位置するユーザまたは物体で反射される。受光レンズ窓は、近接センサ１１２の近くに位置するユーザまたは物体から反射された光を集光する。受光素子は、受光レンズ窓によって集光された反射光を受光する。受光素子は、光電変換素子であり、受光レンズ窓を介して受光した反射光からその反射光に対応する電圧に検出する。受光素子は、撮像装置１００の電源がＯＮ状態である間は、反射光に対応する電圧をリアルタイムに検出する。近接センサ１１２は、受光素子でリアルタイムに検出された電圧を検知電圧としてシステム制御部１０８に送信する。
【００２２】
システム制御部１０８は、撮像装置１００の各構成要素を制御するための少なくとも一つのプログラムを記憶したメモリと、その少なくとも一つのプログラムを実行するマイクロプロセッサとを有する。マイクロプロセッサは、ハードウェア構成を有する。
【００２３】
システム制御部１０８は、撮像装置１００の近くにいるユーザがＥＶＦ１１１を覗いているか否かを判定するために、近接センサ１１２から受信した検知電圧が所定の基準電圧Ｖｒを超えているか否かを判定することができる。受信した検知電圧が所定の基準電圧Ｖｒを超えていない場合、システム制御部１０８は、撮像装置１００の近くにいるユーザがＥＶＦ１１１を覗いていると判定する。受信した検知電圧が所定の基準電圧Ｖｒを超えている場合、システム制御部１０８は、撮像装置１００の近くにいるユーザがＥＶＦ１１１を覗いていないと判定する。
【００２４】
さらに、システム制御部１０８は、近接センサ１１２から受信した検知電圧に対応する距離を計算することができる。システム制御部１０８で計算される距離は、ユーザまたは物体とＥＶＦ１１１との間の距離に相当する。
【００２５】
タイマ部１０４は、システム制御部１０８が近接センサ１１２からリアルタイムに受信した検知電圧が所定の基準電圧Ｖｒを超えない期間（以下、無検知期間Ｔｎと呼ぶ）を測定するタイマを有する。無検知期間Ｔｎは、ユーザがＥＶＦ１１１を覗いていない期間に相当する。無検知期間Ｔｎの起点と終点は、システム制御部１０８によって制御される。タイマ部１０４によって測定された無検知期間Ｔｎは、リアルタイムにシステム制御部１０８に送信される。
【００２６】
メモリ部１０９は、通常輝度設定に関する情報と低輝度設定に関する情報とを格納している。ユーザが選択しているダイナミックレンジを示す情報も、メモリ部１０９に格納される。所定の基準電圧Ｖｒ、第１の基準期間Ｔ１、第２の基準期間Ｔ１及び所定の基準値Ｄ１を示す情報も、メモリ部１０９に格納される。所定の基準電圧Ｖｒ、第１の基準期間Ｔ１、第２の基準期間Ｔ１及び所定の基準値Ｄ１は、ユーザがＵＩ部１０３を介して変更できるようにしてもよい。メモリ部１０９は、例えばフラッシュメモリで構成される。
【００２７】
ＵＩ部１０３は、ユーザの指示をシステム制御部１０８に入力するためのユーザインターフェース部である。ＵＩ部１０３は、複数の機能ボタンを有する複数の機能ボタンには、例えば、メニューボタン、４方向ボタン、ＳＥＴボタン等がある。メニューボタンは、メニュー画面の表示または非表示を指示できる。４方向ボタンは、上、下、左または右を指示できる。ＳＥＴボタンは、選択された項目の決定を指示できる。ユーザは、ＵＩ部１０３を操作することにより、表示パネル１１１Ａに表示される画像のダイナミックレンジを所定の範囲（例：５０％〜１６００％）の中から選択することができる。ユーザが選択しているダイナミックレンジを示す情報は、メモリ部１０９に格納される。
【００２８】
なお、ＵＩ部１０３は、タッチパネルで構成することも可能である。タッチパネルは、抵抗膜方式、静電容量方式、表面弾性波方式、赤外線方式、電磁誘導方式、画像認識方式、光センサ方式のいずれであってもよい。
【００２９】
電源スイッチ１０５は、撮像装置１００の電源（バッテリなど）をＯＮ状態またはＯＦＦ状態にするためのスイッチ（例えば、メカスイッチ）である。ＯＦＦ状態は、撮像装置１００が低消費電力状態で動作する状態を含む。電源スイッチ１０５がＯＮである場合、撮像装置１００の電源はＯＮ状態となり、電源スイッチ１０５がＯＦＦである場合、撮像装置１００の電源はＯＦＦ状態となる。電源スイッチ１０５がＯＮであるか否かを示す信号は、システム制御部１０８に供給される。
【００３０】
次に、図２を参照し、ＥＶＦ１１１と近接センサ１１２との位置関係の一例を説明する。近接センサ１１２は、撮像装置１００の近くにいるユーザがＥＶＦ１１１を覗いているか否かを判定するのに用いられる。従って、近接センサ１１２は、ＥＶＦ１１１を覗いているユーザを検出できるように、ＥＶＦ１１１の近傍に配置するのが望ましい。そこで、例えば図２に示すように、近接センサ１１２は、ＥＶＦ１１１の近傍に配置される。
【００３１】
次に、図３を参照し、撮像装置１００で行われる制御方法を説明する。図３では、表示パネル１１１Ａの輝度設定と表示パネル１１１Ａに表示される撮像画像データのダイナミックレンジとを、無検知期間Ｔｎに基づいて制御する制御方法について説明する。
【００３２】
ステップＳ３０１において、システム制御部１０８は、電源スイッチ１０５からの信号により、電源スイッチ１０５がＯＮであるか否かを判定する。システム制御部１０８は、電源スイッチ１０５がＯＮである場合はステップＳ３０２に進み、電源スイッチ１０５がＯＦＦである場合は図３に示す制御方法を終了する。
【００３３】
ステップＳ３０２において、システム制御部１０８は、近接センサ１１２から受信した検知電圧が所定の基準電圧Ｖｒを超えているか否かを判定する。この判定により、撮像装置１００の近くにいるユーザがＥＶＦ１１１を覗いているか否かを判定することができる。受信した検知電圧が所定の基準電圧Ｖｒを超えていない場合、システム制御部１０８は、撮像装置１００の近くにいるユーザがＥＶＦ１１１を覗いていないと判定し、ステップＳ３０３に進む。受信した検知電圧が所定の基準電圧Ｖｒを超えている場合、システム制御部１０８は、撮像装置１００の近くにいるユーザがＥＶＦ１１１を覗いていると判定し、ステップＳ３１３に進む。
【００３４】
ステップＳ３０３において、システム制御部１０８は、表示パネル１１１Ａが点灯状態であるか否かを判定する。システム制御部１０８は、表示パネル１１１Ａが点灯状態である場合はステップＳ３０４に進み、表示パネル１１１Ａが消灯状態である場合はステップＳ３０２に進む。
【００３５】
ステップＳ３０４において、システム制御部１０８は、無検知期間Ｔｎの測定を開始することをタイマ部１０４に指示する。これにより、システム制御部１０８は、タイマ部１０４によって測定された無検知期間Ｔｎをリアルタイムにタイマ部１０４から受信することができる。
【００３６】
ステップＳ３０５において、システム制御部１０８は、タイマ部１０４から受信した無検知期間Ｔｎが第１の基準期間Ｔ１（例：３０秒）を超えているか否かを判定する。システム制御部１０８は、受信した無検知期間Ｔｎが第１の基準期間Ｔ１を超えている場合はステップＳ３０７に進み、受信した無検知期間Ｔｎが第１の基準期間Ｔ１を超えていない場合はステップＳ３０６に進む。
【００３７】
ステップＳ３０６において、システム制御部１０８は、近接センサ１１２から受信した検知電圧が所定の基準電圧Ｖｒを超えているか否かを判定する。この判定により、撮像装置１００の近くにいるユーザがＥＶＦ１１１を覗いているか否かを判定することができる。受信した検知電圧が所定の基準電圧Ｖｒを超えていない場合、システム制御部１０８は、撮像装置１００の近くにいるユーザがＥＶＦ１１１を覗いていないと判定し、ステップＳ３０５に進む。受信した検知電圧が所定の基準電圧Ｖｒを超えている場合、システム制御部１０８は、撮像装置１００の近くにいるユーザがＥＶＦ１１１を覗いていると判定し、ステップＳ３１３に進む。
【００３８】
ステップＳ３０７において、システム制御部１０８は、表示パネル１１１Ａの輝度設定を低輝度設定に変更することをＥＶＦ制御部１０７に指示する。ＥＶＦ制御部１０７は、システム制御部１０８からの指示に応じて、表示パネル１１１Ａの輝度設定を低輝度設定に変更する。これにより、表示パネル１１１Ａは、ＥＶＦ制御部１０７から受信した撮像画像データを低輝度設定で表示する。さらに、撮像装置１００は、表示パネル１１１Ａの劣化を抑えることができ、表示部１１０及び撮像装置１００の消費電力を抑えることもできる。ＥＶＦ制御部１０７が表示パネル１１１Ａの輝度設定を低輝度設定に変更した場合、システム制御部１０８は、ステップＳ３０８に進む。
【００３９】
ステップＳ３０８において、システム制御部１０８は、ユーザが選択しているダイナミックレンジを示す情報をメモリ部１０９から読み出し、ユーザが選択しているダイナミックレンジが所定の基準値Ｄ１（例：４００％）未満か否かを判定する。実施形態１では、低輝度設定中の表示パネル１１１Ａに表示される撮像画像をより明るくするために、撮像画像データのダイナミックレンジを所定の基準値Ｄから所定の基準値Ｄ１よりも低い値（例：１００％）に圧縮（変換）する場合を説明する。ユーザが選択しているダイナミックレンジが所定の基準値Ｄ１未満である場合、システム制御部１０８は、ステップＳ３１０に進む。ユーザが選択しているダイナミックレンジが所定の基準値Ｄ１以上である場合、システム制御部１０８は、ステップＳ３０９に進む。
【００４０】
ステップＳ３０９において、システム制御部１０８は、ダイナミックレンジ１００％を示す情報をダイナミックレンジ変換部１０６に送信する。ダイナミックレンジ変換部１０６は、デジタル信号処理部１０２から受信した撮像画像データのダイナミックレンジ（例：１６００％）を１００％に圧縮（変換）する処理を開始する。これにより、低輝度設定中の表示パネル１１１Ａは、ダイナミックレンジが１００％の撮像画像データを表示することになる。その結果、ダイナミックレンジが所定の基準値Ｄ１（例：４００％）以上の撮像画像データよりも明るい撮像画像が表示パネル１１１Ａに表示されることになる。ダイナミックレンジが所定の基準値Ｄ１以上の撮像画像データよりも明るい撮像画像が表示パネル１１１Ａに表示されるため、撮像装置１００から離れた位置にいるユーザが撮像装置１００が起動していないと勘違いしてしまう可能性を軽減することができる。ダイナミックレンジ１００％を示す情報をダイナミックレンジ変換部１０６に送信した場合、システム制御部１０８は、ステップＳ３１０に進む。
【００４１】
ステップＳ３１０において、システム制御部１０８は、タイマ部１０４から受信した無検知期間Ｔｎが第１の基準期間Ｔ１よりも長い第２の基準期間Ｔ２（例：３００秒）を超えているか否かを判定する。受信した無検知期間Ｔｎが第２の基準期間Ｔ２を超えている場合は、ユーザが第２の基準期間Ｔ２を超える期間が経過するまで表示部１１０を覗いていない場合に相当する。システム制御部１０８は、受信した無検知期間Ｔｎが第２の基準期間Ｔ２を超えている場合はステップＳ３１２に進み、受信した無検知期間Ｔｎが第２の基準期間Ｔ２を超えていない場合はステップＳ３１１に進む。
【００４２】
ステップＳ３１１において、システム制御部１０８は、近接センサ１１２から受信した検知電圧が所定の基準電圧Ｖｒを超えているか否かを判定する。この判定により、撮像装置１００の近くにいるユーザがＥＶＦ１１１を覗いているか否かを判定することができる。受信した検知電圧が所定の基準電圧Ｖｒを超えていない場合、システム制御部１０８は、撮像装置１００の近くにいるユーザがＥＶＦ１１１を覗いていないと判定し、ステップＳ３１０に進む。受信した検知電圧が所定の基準電圧Ｖｒを超えている場合、システム制御部１０８は、撮像装置１００の近くにいるユーザがＥＶＦ１１１を覗いていると判定し、ステップＳ３１３に進む。
【００４３】
ステップＳ３１２において、システム制御部１０８は、表示パネル１１１Ａを消灯させるための消灯指示をＥＶＦ制御部１０７に送信する。そして、ＥＶＦ制御部１０７は、消灯指示に従って表示パネル１１１Ａを消灯させる。これにより、撮像装置１００は、表示パネル１１１Ａの劣化を抑えることができ、表示部１１０及び撮像装置１００の消費電力を抑えることもできる。表示パネル１１１Ａが消灯した場合、システム制御部１０８は、無検知期間Ｔｎを初期値（例：０）にリセットすることをタイマ部１０４に指示し、ステップＳ３０２に進む。
【００４４】
ステップＳ３１３において、システム制御部１０８は、表示パネル１１１Ａの輝度設定を通常輝度設定に変更することをＥＶＦ制御部１０７に指示する。ＥＶＦ制御部１０７は、システム制御部１０８からの指示に応じて、表示パネル１１１Ａの輝度設定を通常輝度設定に変更する。これにより、表示パネル１１１Ａは、ＥＶＦ制御部１０７から受信した撮像画像データを通常輝度設定で表示する。ＥＶＦ制御部１０７が表示パネル１１１Ａの輝度設定を通常輝度設定に変更した場合、システム制御部１０８は、ステップＳ３１４に進む。
【００４５】
ステップＳ３１４において、システム制御部１０８は、表示パネル１１１Ａが点灯状態であるか否かを判定する。システム制御部１０８は、表示パネル１１１Ａが点灯状態である場合はステップＳ３１６に進み、表示パネル１１１Ａが消灯状態である場合はステップＳ３１５に進む。
【００４６】
ステップＳ３１５において、システム制御部１０８は、表示パネル１１１Ａを点灯させるための点灯指示をＥＶＦ制御部１０７に送信する。そして、ＥＶＦ制御部１０７は、点灯指示に従って表示パネル１１１Ａを点灯させる。このとき、ＥＶＦ制御部１０７は、表示パネル１１１Ａの輝度設定を通常輝度設定とする。これにより、表示パネル１１１Ａは、ＥＶＦ制御部１０７から受信した撮像画像データを通常輝度設定で表示する。表示パネル１１１Ａが点灯した場合、システム制御部１０８は、ステップＳ３１６に進む。
【００４７】
ステップＳ３１６において、システム制御部１０８は、ユーザが選択しているダイナミックレンジを示す情報をメモリ部１０９から読み出し、ユーザが選択しているダイナミックレンジが最大値（１６００％）であるか否かを判定する。ユーザが選択しているダイナミックレンジが最大値である場合、システム制御部１０８は、ステップＳ３１８に進む。ユーザが選択しているダイナミックレンジが最大値でない場合、システム制御部１０８は、ステップＳ３１７に進む。
【００４８】
ステップＳ３１７において、システム制御部１０８は、ユーザが選択しているダイナミックレンジを示す情報をダイナミックレンジ変換部１０６に送信する。ダイナミックレンジ変換部１０６は、デジタル信号処理部１０２から受信した撮像画像データのダイナミックレンジ（例：１６００％）を、ユーザが選択しているダイナミックレンジに圧縮（変換）する処理を開始する。これにより、表示パネル１１１Ａは、ＥＶＦ１１１を覗いているユーザに、そのユーザが選択しているダイナミックレンジの撮像画像を見せることができる。ユーザが選択しているダイナミックレンジを示す情報をダイナミックレンジ変換部１０６に送信した場合、システム制御部１０８は、ステップＳ３１８に進む。
【００４９】
ステップＳ３１８において、システム制御部１０８は、無検知期間Ｔｎを初期値（例：０）にリセットすることをタイマ部１０４に指示する。これにより、ユーザがＥＶＦ１１１を覗いている期間に、無検知期間Ｔｎが第１の基準期間Ｔ１（例：３０秒）及び第２の基準期間Ｔ２（例：３００秒）を超えないようにすることができる。無検知期間Ｔｎを初期値にリセットした場合、システム制御部１０８は、ステップＳ３０２に進む。
【００５０】
このように、撮像装置１００は、表示パネル１１１Ａの輝度設定と表示パネル１１１Ａに表示される画像データのダイナミックレンジとを、無検知期間Ｔｎに基づいて制御することができる。これにより、撮像装置１００は、撮像装置１００が起動しているか否かを撮像装置１００から離れた位置にいるユーザに知らせることができ、表示パネル１１１Ａの劣化を抑えることができる。さらに、撮像装置１００は、表示部１１０及び撮像装置１００の消費電力を抑えることもできる。
【００５１】
例えば、撮像装置１００は、無検知期間Ｔｎが第１の基準期間Ｔ１（例：３０秒）を超えるまでは、表示パネル１１１Ａを通常輝度設定で点灯させることができる。その後、撮像装置１００は、無検知期間Ｔｎが第１の基準期間Ｔ１を超えてから第２の基準期間Ｔ２（例：３００秒）を超えるまでの期間は、表示パネル１１１Ａを低輝度設定で点灯させることができる。これにより、無検知期間Ｔｎが第２の基準期間Ｔ２を超えるまでの期間は、表示パネル１１１Ａは消灯状態ではないので、撮像装置１００が起動しているか否かを撮像装置１００から離れた位置にいるユーザに知らせることができる。
【００５２】
例えば、撮像装置１００は、無検知期間Ｔｎが第１の基準期間Ｔ１（例：３０秒）を超えてから第２の基準期間Ｔ２（例：３００秒）を超えるまでの期間は、表示パネル１１１Ａを低輝度設定で点灯させることができる。その後、撮像装置１００は、無検知期間Ｔｎが第２の基準期間Ｔ２（例：３００秒）を超えた場合は、表示パネル１１１Ａを消灯させることができる。これにより、撮像装置１００は、表示パネル１１１Ａの劣化を段階的に抑えることができ、表示部１１０及び撮像装置１００の消費電力を段階的に抑えることもできる。
【００５３】
なお、本発明は上述の実施形態に限られるものではなく、この発明の要旨を逸脱しない範囲で様々な変形または変更が可能である。例えば、実施形態１は、撮像画像データを表示パネル１１１Ａに表示する場合を説明したが、撮像画像データを記録媒体（例：ハードディスク装置、メモリカードなど）された再生された再生画像データに置き換えてもよい。
【００５４】
［実施形態２］
実施形態１で説明した様々な機能、処理または方法は、パーソナルコンピュータ、マイクロコンピュータ、ＣＰＵ（ｃｅｎｔｒａｌ  ｐｒｏｃｅｓｓｉｎｇ  ｕｎｉｔ）などがプログラムを用いて実現することもできる。以下、実施形態２では、パーソナルコンピュータ、マイクロコンピュータ、ＣＰＵ（ｃｅｎｔｒａｌ  ｐｒｏｃｅｓｓｉｎｇ  ｕｎｉｔ）などを「コンピュータＸ」と呼ぶ。また、実施形態２では、コンピュータＸを制御するためのプログラムであって、実施形態１で説明した様々な機能、処理または方法を実現するためのプログラムを「プログラムＹ」と呼ぶ。
【００５５】
実施形態１で説明した様々な機能、処理または方法は、コンピュータＸがプログラムＹを実行することによって実現される。この場合において、プログラムＹは、コンピュータ読み取り可能な記憶媒体を介してコンピュータＸに供給される。実施形態２におけるコンピュータ読み取り可能な記憶媒体は、ハードディスク装置、磁気記憶装置、光記憶装置、光磁気記憶装置、メモリカード、揮発性メモリ、不揮発性メモリなどの少なくとも一つを含む。実施形態２におけるコンピュータ読み取り可能な記憶媒体は、ｎｏｎ−ｔｒａｎｓｉｔｏｒｙな記憶媒体である。
【符号の説明】
【００５６】
１００  撮像装置
１０１  撮像部
１０２  デジタル信号処理部
１０３  ＵＩ部
１０４  タイマ部
１０５  電源スイッチ部
１０６  ダイナミックレンジ変換部
１０７  ＥＶＦ制御部
１０８  システム制御部
１０９  メモリ部
１１０  表示部
１１１  ＥＶＦ
１１１Ａ  表示パネル
１１２  近接センサ
【図１】
2018037862.tif 000003
【図２】
2018037862.tif 000004
【図３】
2018037862.tif 000005